(57)【要約】【目的】建物の木工事における断熱・遮断・保温等を簡易に実現させる。【構成】適宜厚さと長さを有する断熱発泡ボードであって、上下両面又は一面にアルミ薄板乃至アルミ箔を貼着等固着する。アルミ薄板乃至アルミ箔はボード上面の面積に対して大きな余長折畳部を有しており、隣接するボード余長折畳部を垂木上面にて重合させる。【選択図】　　図３
2004036256.tif 000002
【特許請求の範囲】
【請求項１】
建物屋根・天井・外壁・床の何れにも使用可能なパネル材であって、
適宜厚さと長さを有する断熱発泡材ボードより成り、
上下両面又は一面にアルミ薄板乃至アルミ箔を貼着等固着したこと、
を特徴とする断熱・遮断・保湿パネル。
【請求項２】
前記断熱発泡材ボードが、合成樹脂発泡板材、殊に、発泡ポリスチレンボードより成ること、
を特徴とする請求項１記載の断熱・遮断・保湿パネル。
【請求項３】
断熱発泡材に固着されるアルミ薄板乃至アルミ箔を、該断熱発泡材の上面の全部又は一部に余長折畳部が生じるように貼着等固着したこと、
を特徴とする請求項１又は２記載の断熱・遮断・保湿パネル。
【請求項４】
前記余長折畳部の長さが、均一でないこと、
を特徴とする請求項３記載の断熱・遮断・保湿パネル。
【請求項５】
前記断熱発泡材ボードの両面又は片面に、スリット状の縮み加工が施されていること、
を特徴とする請求項１乃至４記載の断熱・遮断・保湿パネル。
【発明の詳細な説明】
【０００１】
【発明の属する技術分野】
本発明は、新しい建材の開発に係り、建物の屋根・天井・壁・床の何れにも用いられうる断熱・遮断・保湿能を有するパネルに関するものである。
【０００２】
【従来の技術】
従来より、建物の木工事における断熱・遮断・保湿等に対しては、種々の方策がとられてきていたが、何れも、手間のかかる現場工事を要することや、重量的にもかなりなものになってしまうこと、又、経済的にも極めて高価なものとなってしまうなど、一般的戸建て住宅などには不向きなものばかりであった。
のみならず、その効果自身、例えば換気という面をも加えて、いまひとつ顕著でない、とされていた。
【０００３】
【発明が解決しようとする課題】
このため、構造が簡単で、しかも、現場での工事が少なく殆んどを工場にて予め処理でき、更に、経済的にも安価な、かつ、効果も顕著なものが望まれていた。
【０００４】
本発明は、上記要望に鑑みてなされたものであり、極めて簡単な構造であること、その他上記要求に応えることのできる断熱等のパネルを提供するものである。
【０００５】
【課題を解決するための手段】
本発明に係る、断熱・遮断・保湿パネルは、建物屋根・天井・外壁・床の何れにも使用できるパネル材であって、適宜厚さと長さを有する断熱発泡材ボードより成り、該断熱発泡材ボードの上下両面又は一面にアルミ薄板乃至アルミ箔を貼着等固着したことを要旨とするものである。
【０００６】
尚、前記断熱発泡材ボードは合成樹脂発泡板材であること、殊に、発泡ポリスチレンボードであることが好ましい。
【０００７】
又、前記パネル材のアルミ薄板乃至アルミ箔は、前記断熱発泡ボードの上面の全部又は一部に余長折畳部が生じるよう固着することも好もしいものである。
【０００８】
更に、上記余長折畳部は、各方向の何れかの余長部を他部より大きいか又は小さいものとすることも好もしいと云える。
【０００９】
又、前記パネル材には、予めスリット状の縮み加工を施しておくことも好もしい。
【００１０】
【発明の実施の形態】
次には、本発明に係る第一実施例を示す。
この実施例に於ける断熱・遮断・保湿パネルＰは、長さ略１８００ｍｍ、幅略４００ｍｍ、厚さ略７０ｍｍの長方形板状体を呈するものであって、素材としては合成樹脂発泡板材中、発泡ポリスチレンボード１より成る。
該発泡ポリスチレンボー１には、該発泡ポリスチレンボード１の上下両面かつ全面に亘って、厚さ略０．５ｍｍのアルミ薄板乃至アルミ箔２が貼着され固着されている。
【００１１】
該断熱・遮断・保湿パネルＰは、建築物の広い範囲に適用されうるが、例えば屋根用として施工するにあたっては、在来工法通りに、まず適宜間隔を設けて棟木から母屋、軒桁に斜めに架設し屋根板を支承するよう組み立てられた（尚、この段階では在来工法そのものであるため個々の部材は図示を省略する。）複数の垂木３，３・・・に該発泡ポリスチレンボード１を受けるための任意の受金具を釘等によって取り付け固定する。
【００１２】
次いで、該発泡ポリスチレンボード１を上記垂木３，３・・・間の受金具に順々に乗せてゆく。
かくして、全垂木３，３・・・間に該発泡ポリスチレンボード１を全面積に敷設し終えた後に、野地板４を棟から軒先まで連続するように突き合わせて張設させてゆくことになるが、該発泡ポリスチレンボード１よりも垂木３，３・・・の方が横断面形状で高い位置に設けられているため、該野地板４と、該発泡ポリスチレンボード１との間には、中空層Ｇが形成されることとなる。
【００１３】
この結果、該中空層Ｇは、軒裏面側の軒天部吸気孔から、野地板４を棟位置に於いて合掌部を離間させることで形成される棟換気孔に至る迄の通路を生じさせることとなる。（尚、ここに云う鼻隠しその他の部材についても、在来工法と何も変わるものではないため図示を省略している）。
【００１４】
この通路は、換気通路付き高断熱屋根用パネルＰとなり、発泡ポリスチレンボード１の目的たる断熱・遮断・保湿の効果を発揮させることとなる。
【００１５】
次には、他の実施例を示すが、前記第一の実施例と共通の事項は省き、異なる部分についてのみ説明を加えたい。
この実施例に於けるパネルも、第一実施例同様の発泡ポリスチレンボード１であり、又、寸法も略同一である。
異なるのは、この実施例に於ける、発泡ポリスチレンボード１に貼着され固着されているアルミ薄板乃至アルミ箔２が、該発泡ポリスチレンボード１上面中三方向に向けて（左右長手方向及び一端方向に）余長折畳部２’，２’および２”を具備している点である。
【００１６】
この余長折畳部２’，２’，２”の存在は、次に記す作用をもたらす。
即ち、垂木３，３・・・間の任意の受金具に乗せた発泡ポリスチレンボード１の左右（垂木３，３・・・に接する面側）の余長部２’は、垂木３上面にて折り畳まれ、同様に隣接して乗せられた該発泡ポリスチレンボード１の余長部２’と、同じ垂木３の上面にて該垂木３を覆う状態で重合せられる。
【００１７】
この時に、仮に、垂木３の間隔に多少のズレがあったとしても、該発泡ポリスチレンボード１には、予め工場に於いての両面又は片面に予めスリット状の縮み加工がなされているため、略１０ｍｍ程度迄の垂木３同士のズレには充分対応でき、隣同士の余長折畳部２’と２’とは、垂木３上できちんと重合されることになる。
【００１８】
かくして連続的に設置された該発泡ポリスチレンボード１，１・・・は、タッカー等にて垂木３，３・・・上にて留められ該発泡ポリスチレンボード１の敷設工事は、野地板４との間の中空部Ｇを持ちながら横方向に連続して終了する。
【００１９】
尚、いま一つの残る余長折畳み部２”は、図５にあるように軒先の仕舞として、また部材と部材が流れ方向に連続する接合部の仕舞として用いられる。
即ち、軒桁部分では、該余長折畳部２”を桁に被着することによって、軒裏の風・雨対策として有効に作用することとなる。
尚、この場合も、タッカー等で余長折畳部２”を充分に留めることは当然である。
以上の点が、第一・第二の実施例の差異である。
【００２０】
尚、この実施例では、アルミ薄板乃至アルミ箔２の余長折畳部２’，２’は、垂木３，３・・・の上面で重合されるが、この例とは全く逆に、該発泡ポリスチレンボード１を逆向きに使用し、即ち余長折畳部２’，２’が、垂木３，３・・・の下面で重合されるように構成することも可能である。
【００２１】
尚、前記余長折畳部２’，２’，２”の余長は、必ずしも均一でなくともよい。
【００２２】
尚、第一、第二の実施例に於ける実際の効果であるが、実験環境として、恒湿（５５％）、恒温（３０度）に於いて、時間を経るごとに顕著なものとなったことを付け加えておきたい。
【００２３】
【発明の効果】
上記実施例にて判るように、本発明実施によれば、現場での手間の少ない、施工容易な、かつ、軽量・安価な製品が入手でき、また、屋根、天井、壁、床の何れにも使用可能であり、対流電熱の遮断、放射電熱の遮断、伝導電熱の遮断等種々の顕著な効果が得られるため、本発明実施による効果は極めて大きい。
【図面の簡単な説明】
【図１】本発明の実施例を示す斜視図である。
【図２】同上模式図である。
【図３】本発明の他の実施例を示す斜視図である。
【図４】同上模式図である。
【図５】本発明の余長折畳部の軒先仕舞を示す図である。
【符号の説明】
１　断熱発泡材ボード
２　アルミ薄板乃至アルミ箔
２’余長折畳部（小）
２”余長折畳部（大）
３，３・・・垂木
４　野地板
Ａ　縮み加工スリット
Ｐ　パネル
Ｇ　中空層
【図１】
2004036256.tif 000003
【図２】
2004036256.tif 000004
【図３】
2004036256.tif 000005
【図４】
2004036256.tif 000006
【図５】
2004036256.tif 000007
【手続補正書】
【提出日】平成14年7月17日(2002.7.17)
【手続補正２】
【補正対象書類名】明細書
【補正対象項目名】特許請求の範囲
【補正方法】変更
【補正の内容】
【特許請求の範囲】
【請求項１】
建物屋根・天井・外壁・床の何れにも使用可能なパネル材であって、
適宜厚さと長さを有する断熱発泡材ボードより成り、
上下両面又は一面にアルミ薄板乃至アルミ箔を貼着等固着したこと、
を特徴とする断熱・遮断・保温パネル。
【請求項２】
前記断熱発泡材ボードが、合成樹脂発泡板材、殊に、発泡ポリスチレンボードより成ること、
を特徴とする請求項１記載の断熱・遮断・保温パネル。
【請求項３】
断熱発泡材に固着されるアルミ薄板乃至アルミ箔を、該断熱発泡材の上面の全部又は一部に余長折畳部が生じるように貼着等固着したこと、
を特徴とする請求項１又は２記載の断熱・遮断・保温パネル。
【請求項４】
前記余長折畳部の長さが、均一でないこと、
を特徴とする請求項３記載の断熱・遮断・保温パネル。
【請求項５】
前記断熱発泡材ボードの両面又は片面に、スリット状の縮み加工が施されていること、
を特徴とする請求項１乃至４記載の断熱・遮断・保温パネル。
【手続補正３】
【補正対象書類名】明細書
【補正対象項目名】０００１
【補正方法】変更
【補正の内容】
【０００１】
本発明は、新しい建材の開発に係り、建物の屋根・天井・壁・床の何れにも用いられうる断熱・遮断・保温機能を有するパネルに関するものである。


【手続補正４】
【補正対象書類名】明細書
【補正対象項目名】０００２
【補正方法】変更
【補正の内容】
【０００２】
【従来の技術】
従来より、建物の木工事における断熱・遮断・保温等に対しては、種々の方策がとられてきていたが、何れも、手間のかかる現場工事を要することや、重量的にもかなりなものになってしまうこと、又、経済的にも極めて高価なものとなってしまうなど、一般的戸建て住宅などには不向きなものばかりであった。
のみならず、その効果自身、例えば換気という面をも加えて、いまひとつ顕著でない、とされていた。


【手続補正５】
【補正対象書類名】明細書
【補正対象項目名】０００５
【補正方法】変更
【補正の内容】
【０００５】
【課題を解決するための手段】
本発明に係る、断熱・遮断・保温パネルは、建物屋根・天井・外壁・床の何れにも使用できるパネル材であって、適宜厚さと長さを有する断熱発泡材ボードより成り、該断熱発泡材ボードの上下両面又は一面にアルミ薄板乃至アルミ箔を貼着等固着したことを要旨とするものである。


【手続補正６】
【補正対象書類名】明細書
【補正対象項目名】００１０
【補正方法】変更
【補正の内容】
【００１０】
【発明の実施の形態】
次には、本発明に係る第一実施例を示す。
この実施例に於ける断熱・遮断・保温パネルＰは、長さ略１８００ｍｍ、幅略４００ｍｍ、厚さ略７０ｍｍの長方形板状体を呈するものであって、素材としては合成樹脂発泡板材中、発泡ポリスチレンボード１より成る。
該発泡ポリスチレンボー１には、該発泡ポリスチレンボード１の上下両面かつ全面に亘って、厚さ略０．５ｍｍのアルミ薄板乃至アルミ箔２が貼着され固着されている。


【手続補正７】
【補正対象書類名】明細書
【補正対象項目名】００１１
【補正方法】変更
【補正の内容】
【００１１】
該断熱・遮断・保温パネルＰは、建築物の広い範囲に適用されうるが、例えば屋根用として施工するにあたっては、在来工法通りに、まず適宜間隔を設けて棟木から母屋、軒桁に斜めに架設し屋根板を支承するよう組み立てられた（尚、この段階では在来工法そのものであるため個々の部材は図示を省略する。）複数の垂木３，３・・・に該発泡ポリスチレンボード１を受けるための任意の受金具を釘等によって取り付け固定する。


【手続補正８】
【補正対象書類名】明細書
【補正対象項目名】００１４
【補正方法】変更
【補正の内容】
【００１４】
この通路は、換気通路付き高断熱屋根用パネルＰとなり、発泡ポリスチレンボード１の目的たる断熱・遮断・保温の効果を発揮させることとなる。